【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
扁平形状の二次電池と、
前記二次電池をホルダで保持するための保持部と
を備えたことを特徴とする電源装置。
【請求項２】
請求項１記載の電源装置において、
当該電源装置の本体は扁平形状の矩形に形成され、
前記保持部を、前記電源装置の本体の長辺側に設けたことを特徴とする電源装置。
【請求項３】
請求項１または２に記載の電源装置において、
前記保持部には、ホルダで保持するための綴じ穴が形成されたことを特徴とする電源装置。
【請求項４】
請求項１乃至３のいずれかに記載の電源装置において、
前記二次電池は樹脂製の外装にて覆われ、前記保持部も樹脂にて形成されていることを特徴とする電源装置。
【請求項５】
請求項１乃至４のいずれかに記載の電源装置であって、
前記電源装置が、充電および／または放電用の回路を備えたことを特徴とする電源装置。
【請求項６】
請求項１乃至５のいずれかに記載の電源装置であって、
前記二次電池を充電するための充電端子および／または外部機器に電力を供給するための出力端子を備えたことを特徴とする電源装置。
【請求項７】
請求項６記載の電源装置であって、
前記充電端子および／または出力端子は、前記電源装置の端面に形成されていることを特徴とする電源装置。
【請求項８】
請求項５記載の電源装置であって、
前記充電回路は、電磁的に外部電源が供給されて前記二次電池を充電するものであることを特徴とする電源装置。
【請求項９】
請求項５または８に記載の電源装置であって、
前記放電用の回路は、前記二次電池の電力を電磁的に外部に供給するものであることを特徴とする電源装置。
【請求項１０】
請求項１乃至９のいずれかに記載の電源装置であって、
前記二次電池の状態を表示する表示するインジケータを備えたことを特徴とする電源装置。
【請求項１１】
請求項１０記載の電源装置であって、
前記インジケータは前記電源装置の端面に設けられたことを特徴とする電源装置。
【請求項１２】
請求項１乃至１１のいずれかに記載の電源装置と、
前記電源装置を保持するホルダとを備えたことを特徴とするシステム手帳。
【請求項１３】
請求項１２記載のシステム手帳において、
前記電源装置の保持部をホルダで綴じこみ、かつ当該システム手帳を閉じた状態で、前記二次電池の状態を表示するインジケータが視認可能に設けられたことを特徴とするシステム手帳。
【請求項１４】
請求項１２乃至１３のいずれかに記載のシステム手帳であって、
外部電源を接続して当該外部電源から前記二次電池を充電するための接続線を備えたことを特徴とするシステム手帳。
【請求項１５】
請求項１２乃至１４のいずれかに記載のシステム手帳であって、
電源供給対象となる電子機器を接続して当該電子機器に電力供給するための接続線を備えたことを特徴とするシステム手帳。
【請求項１６】
請求項１４または１５に記載のシステム手帳であって、
前記接続線を保持する接続線保持部が設けられたことを特徴とするシステム手帳。
【請求項１７】
請求項１２乃至１６のいずれかに記載のシステム手帳であって、
光起電力パネルを備え、該光起電力パネルから前記二次電池を充電可能とされていること
を特徴とするシステム手帳。
【請求項１８】
物品を覆うためのカバー本体と、
前記カバー本体に内蔵された扁平形状の二次電池を有する電源装置と、
を備えたことを特徴とする物品カバー。
【請求項１９】
請求項１８記載の物品カバーであって、
前記電源装置が、充電および／または放電用の回路を備えたことを特徴とする物品カバー。
【請求項２０】
請求項１８または１９に記載の物品カバーであって、
前記二次電池を充電するための充電端子および／または外部機器に電力を供給するための出力端子を備えたことを特徴とする物品カバー。
【請求項２１】
請求項１９記載の物品カバーであって、
前記充電回路は、電磁的に外部電源が供給されて前記二次電池を充電するものであることを特徴とする物品カバー。
【請求項２２】
請求項１９記載の物品カバーであって、
前記放電用の回路は、前記二次電池の電力を電磁的に外部に供給するものであることを特徴とする物品カバー。
【請求項２３】
請求項１８乃至２０のいずれかに記載の物品カバーであって、
外部電源を接続して当該外部電源から前記二次電池を充電するための接続線を備えたことを特徴とする物品カバー。
【請求項２４】
請求項１８乃至２０のいずれかに記載の物品カバーであって、
電源供給対象となる電子機器を接続して当該電子機器に電力供給するための接続線を備えたことを特徴とする物品カバー。
【請求項２５】
請求項２３または２４に記載の物品カバーであって、
前記接続線を保持する接続線保持部が設けられたことを特徴とする物品カバー。
【請求項２６】
請求項１８乃至２５のいずれかに記載の物品カバーであって、
前記二次電池の状態を表示する表示するインジケータを備えたことを特徴とする物品カバー。
【請求項２７】
請求項１８乃至２６のいずれかに記載の物品カバーであって、
光起電力パネルを備え、該光起電力パネルから前記二次電池を充電可能とされていること
を特徴とする物品カバー。
【手続補正２】
【補正対象書類名】明細書
【補正対象項目名】０００７
【補正方法】変更
【補正の内容】
【０００７】
請求項１に係る発明は、扁平形状の二次電池と、前記二次電池をホルダで保持するための保持部とを備えたことを特徴とする電源装置である。
請求項２に係る発明は、請求項１記載の電源装置において、当該電源装置の本体は扁平形状の矩形に形成され、前記保持部を、前記電源装置の本体の長辺側に設けたことを特徴とする。
【手続補正３】
【補正対象書類名】明細書
【補正対象項目名】０００８
【補正方法】変更
【補正の内容】
【０００８】
請求項３に係る発明は、請求項１または２に記載の電源装置において、前記保持部には、ホルダで保持するための綴じ穴が形成されたことを特徴とする。
【手続補正４】
【補正対象書類名】明細書
【補正対象項目名】０００９
【補正方法】変更
【補正の内容】
【０００９】
請求項４に係る発明は、請求項１乃至３のいずれかに記載の電源装置において、前記二次電池は樹脂製の外装にて覆われ、前記保持部も樹脂にて形成されていることを特徴とする。
【手続補正５】
【補正対象書類名】明細書
【補正対象項目名】００１０
【補正方法】変更
【補正の内容】
【００１０】
請求項５に係る発明は、請求項１乃至４のいずれかに記載の電源装置であって、前記電源装置が、充電および／または放電用の回路を備えたことを特徴とする。
請求項６に係る発明は、請求項１乃至５のいずれかに記載の電源装置であって、前記二次電池を充電するための充電端子および／または外部機器に電力を供給するための出力端子を備えたことを特徴とする。
請求項７に係る発明は、請求項６記載の電源装置であって、前記充電端子および／または出力端子は、前記電源装置の端面に形成されていることを特徴とする。
請求項８に係る発明は、請求項５記載の電源装置であって、前記充電回路は、電磁的に外部電源が供給されて前記二次電池を充電するものであることを特徴とする。
請求項９に係る発明は、請求項５または８に記載の電源装置であって、前記放電用の回路は、前記二次電池の電力を電磁的に外部に供給するものであることを特徴とする。
請求項１０に係る発明は、請求項１乃至９のいずれかに記載の電源装置であって、前記二次電池の状態を表示する表示するインジケータを備えたことを特徴とする。
請求項１１に係る発明は、請求項１０記載の電源装置であって、前記インジケータは前記電源装置の端面に設けられたことを特徴とする。
【手続補正６】
【補正対象書類名】明細書
【補正対象項目名】００１１
【補正方法】変更
【補正の内容】
【００１１】
請求項１２に係る発明は、請求項１乃至１１のいずれかに記載の電源装置と、前記電源装置を保持するホルダとを備えたことを特徴とするシステム手帳である。
請求項１３に係る発明は、請求項１２記載のシステム手帳において、前記電源装置の保持部をホルダで綴じこみ、かつ当該システム手帳を閉じた状態で前記二次電池の状態を表示するインジケータが視認可能に設けられたことを特徴とする。
【手続補正７】
【補正対象書類名】明細書
【補正対象項目名】００１２
【補正方法】変更
【補正の内容】
【００１２】
請求項１４に係る発明は、請求項１２乃至１３のいずれかに記載のシステム手帳であって、外部電源を接続して当該外部電源から前記二次電池を充電するための接続線を備えたことを特徴とする。
請求項１５に係る発明は、請求項１２乃至１４のいずれかに記載のシステム手帳であって、電源供給対象となる電子機器を接続して当該電子機器に電力供給するための接続線を備えたことを特徴とする。
【手続補正８】
【補正対象書類名】明細書
【補正対象項目名】００１３
【補正方法】変更
【補正の内容】
【００１３】
請求項１６に係る発明は、請求項１４または１５に記載のシステム手帳であって、前記接続線を保持する接続線保持部が設けられたことを特徴とする。
【手続補正９】
【補正対象書類名】明細書
【補正対象項目名】００１４
【補正方法】変更
【補正の内容】
【００１４】
請求項１７に係る発明は、請求項１２乃至１６のいずれかに記載のシステム手帳であって、光起電力パネルを供え、該光起電力パネルから前記二次電池を充電可能とされていることを特徴とする。
【手続補正１０】
【補正対象書類名】明細書
【補正対象項目名】００１５
【補正方法】変更
【補正の内容】
【００１５】
請求項１８に係る発明は、物品を覆うためのカバー本体と、前記カバー本体に内蔵された扁平形状の二次電池を有する電源装置と、を備えたことを特徴とする物品カバーである。
請求項１９に係る発明は、請求項１８記載の物品カバーであって、前記電源装置が、充電および／または放電用の回路を備えたことを特徴とする。
請求項２０に係る発明は、請求項１８または１９に記載の物品カバーであって、前記二次電池を充電するための充電端子および／または外部機器に電力を供給するための出力端子を備えたことを特徴とする。
請求項２１に係る発明は、請求項１９記載の物品カバーであって、前記充電回路は、電磁的に外部電源が供給されて前記二次電池を充電するものであることを特徴とする。
請求項２２に係る発明は、請求項１９記載の物品カバーであって、前記放電用の回路は、前記二次電池の電力を電磁的に外部に供給するものであることを特徴とする。
請求項２３に係る発明は、請求項１８乃至２０のいずれかに記載の物品カバーであって、外部電源を接続して当該外部電源から前記二次電池を充電するための接続線を備えたことを特徴とする。
請求項２４に係る発明は、請求項１８乃至２０のいずれかに記載の物品カバーであって、電源供給対象となる電子機器を接続して当該電子機器に電力供給するための接続線を備えたことを特徴とする。
請求項２５に係る発明は、請求項２３または２４に記載の物品カバーであって、前記接続線を保持する接続線保持部が設けられたことを特徴とする。
請求項２６に係る発明は、請求項１８乃至２５のいずれかに記載の物品カバーであって、前記二次電池の状態を表示する表示するインジケータを備えたことを特徴とする。
請求項２７に係る発明は、請求項１８乃至２６のいずれかに記載の物品カバーであって、光起電力パネルを備え、該光起電力パネルから前記二次電池を充電可能とされていること
を特徴とする。
【手続補正１１】
【補正対象書類名】明細書
【補正対象項目名】００１６
【補正方法】変更
【補正の内容】
【００１６】
請求項１乃至１１に係る発明によれば、時間や天候に係わらず、携帯型電子機器等に電源を供給して、使用しまたは充電することができ、また容易に携帯できる携帯用の電源装置を提供できる。
【手続補正１２】
【補正対象書類名】明細書
【補正対象項目名】００１７
【補正方法】変更
【補正の内容】
【００１７】
請求項１２乃至１６に係る発明によれば、時間や天候に係わらず、携帯型電子機器等に電源を供給して、使用しまたは充電することができ、また容易に携帯できる携帯用のシステム手帳を提供できる。
【手続補正１３】
【補正対象書類名】明細書
【補正対象項目名】００１８
【補正方法】変更
【補正の内容】
【００１８】
請求項１７に係る発明によれば、システム手帳に備えた光起電力パネルによって、そのシステム手帳等に備えられた電源装置の二次電池を充電したり他の機器に給電することができる。
【手続補正１４】
【補正対象書類名】明細書
【補正対象項目名】００１９
【補正方法】変更
【補正の内容】
【００１９】
請求項１８乃至２７に係る発明によれば、時間や天候に係わらず、携帯型電子機器等に電源を供給して、使用しまたは充電することができ、また容易に携帯できる携帯用の物品カバーを提供できる。